(57)【要約】【課題】本発明は、配線器具において、他の器具との接続がない場合に電気を伝えない状態とすることを目的とする。【解決手段】課題を解決するための本発明の配線器具は、双安定リレー１を備え、双安定リレー１の接点１ａを介して電気を伝える配線器具であって、双安定リレー１が接点１ａをオフとする動作を行うための入力信号の、オンとオフを切り替える第１の切り替え手段２を、他の器具との接続がない場合に入力信号をオンとするように構成することを特徴とする。【選択図】図１
2011054547.tif 000002
【特許請求の範囲】
【請求項１】
双安定リレーを備え、前記双安定リレーの接点を介して電気を伝える配線器具であって、他の器具との接続がない場合は前記接点をオフとするように構成することを特徴とする、配線器具。
【請求項２】
双安定リレーを備え、前記双安定リレーの接点を介して電気を伝える配線器具であって、前記双安定リレーが、前記接点をオフとする動作を行うための入力信号の、オンとオフを切り替える切り替え手段を、他の器具との接続がない場合に前記入力信号をオンとするように構成することを特徴とする、配線器具。
【請求項３】
請求項１もしくは請求項２の配線器具において、電気を使用できるものを限定できるように構成することを特徴とする、配線器具。
【請求項４】
請求項１もしくは請求項２もしくは請求項３の配線器具において、電気を伝える状態、もしくは、電気を伝えない状態、の少なくとも１つの状態に手動で切り替えることができる切り替え手段を構成することを特徴とする、配線器具。
【請求項５】
請求項１もしくは請求項２もしくは請求項３もしくは請求項４の配線器具において、遠隔操作できるように構成することを特徴とする、配線器具。
【請求項６】
請求項１もしくは請求項２もしくは請求項３もしくは請求項４もしくは請求項５の配線器具において、他の器具へ入力信号を送ることができるように構成することを特徴とする、配線器具。
【請求項７】
請求項１もしくは請求項２もしくは請求項３もしくは請求項４もしくは請求５もしくは請求項６の配線器具において、他の器具からの入力信号を受けとることができるように構成することを特徴とする、配線器具。
【発明の詳細な説明】
【技術分野】
【０００１】  本発明は、特に他の器具との接続がない場合に、電気を伝えない状態とすることができる配線器具に関するものである。
【背景技術】
【０００２】  従来の配線器具は、コンセントやマルチタップやコネクタボディやテーブルタップなどがあり、器具と器具を電気的に結ぶ際に接続が容易であり実用的であった。【０００３】  しかし、他の器具との接続がない場合に配線器具が電気を伝えることはなくなるが、電気を伝えない状態になることはなく、電気を伝える性質のものが接続されれば電気は伝えられるため、安全面では、電気を伝える性質のものなどを誤って接続することによる感電や火災などの危険性があり、防犯面では、器具の接続を行えば電気の供給が行われるため電気の不正使用などのおそれがあった。
【発明の概要】
【発明が解決しようとする課題】
【０００４】  本発明は、配線器具において、他の器具との接続がない場合に電気を伝えない状態とすることを目的としている。【０００５】  また、配線器具において、防災性や、防犯性や、利便性に利点を持たせることを目的としている。
【課題を解決するための手段】
【０００６】  課題を解決するための請求項１記載の配線器具は、双安定リレーを備え、双安定リレーの接点を介して電気を伝える配線器具であって、他の器具との接続がない場合は双安定リレーの接点をオフとするように構成することを特徴とする。【０００７】  課題を解決するための請求項２記載の配線器具は、双安定リレーを備え、双安定リレーの接点を介して電気を伝える配線器具であって、双安定リレーが接点をオフとする動作を行うための入力信号の、オンとオフを切り替える切り替え手段を、他の器具との接続がない場合に入力信号をオンとするように構成することを特徴とする。【０００８】  課題を解決するための請求項３記載の配線器具は、請求項１もしくは請求項２の配線器具において、電気を使用できるものを限定できるように構成することを特徴とする。【０００９】  課題を解決するための請求項４記載の配線器具は、請求項１もしくは請求項２もしくは請求項３の配線器具において、電気を伝える状態、もしくは、電気を伝えない状態、の少なくとも１つの状態に手動で切り替えることができる切り替え手段を構成することを特徴とする。【００１０】  課題を解決するための請求項５記載の配線器具は、請求項１もしくは請求項２もしくは請求項３もしくは請求項４の配線器具において、遠隔操作できるように構成することを特徴とする。【００１１】  課題を解決するための請求項６記載の配線器具は、請求項１もしくは請求項２もしくは請求項３もしくは請求項４もしくは請求項５の配線器具において、他の器具へ入力信号を送ることができるように構成することを特徴とする。【００１２】  課題を解決するための請求項７記載の配線器具は、請求項１もしくは請求項２もしくは請求項３もしくは請求項４もしくは請求５もしくは請求項６の配線器具において、他の器具からの入力信号を受けとることができるように構成することを特徴とする。
【発明の効果】
【００１３】  本発明の配線器具は、配線器具に他の器具の接続がない場合に双安定リレーの接点をオフとすることで電気を伝えない状態とすることができ、双安定リレーを用いているため電気の供給が行われない状態を発熱や電気の消費をすることなく保持することができるという利点がある。【００１４】  配線器具からの電気を使用できるものを限定できるように構成した場合は、電気の不正使用を防止することができるなど防犯性に利点がある。【００１５】  電気を伝える状態、もしくは、電気を伝えない状態、の少なくとも１つの状態に手動で切り替えることができる切り替え手段を構成した場合は、電気を伝える状態と、電気を伝えない状態の切り替えを容易に行うことが可能となり、感電や火災を防止する目的として使用する際に、本発明の配線器部の使用を容易に行うことができるなど防災性と利便性に利点がある。【００１６】  遠隔操作できるように構成した場合は、配線器具の管理を配線器具の管理者が意図する場所で行うことが可能となるという利点や、複数の本発明の配線器具を同じ場所で管理することが可能となるという利点や、本発明の配線器具の管理者以外の者が立ち入りできない場所で管理を行うようにすることで電気の不正使用を防止することができるという利点、など利便性と防犯性に利点がある。【００１７】  他の器具へ入力信号を送ることができるように構成した場合や、他の器具からの入力信号を受けとることができるように構成した場合は、本発明の配線器具と他の器具とを連動することが可能となるなど利便性に利点がある。
【図面の簡単な説明】
【００１８】
【図１】実施例１の構成の概要。
【図２】第１の切り替え手段の設置箇所。
【図３】実施例２の構成の概要。
【図４】配線器具の外観の構成の概要。
【図５】実施例３の構成の概要。
【図６】実施例４の概要。
【図７】実施例４の構成の概要。
【図８】実施例５の構成の概要。
【図９】実施例６の構成の概要。
【発明を実施するための形態】
【００１９】    配線器具において、他の器具との接続がない場合に電気を伝えない状態とするという目的を、配線器具としての安全性と機能性を損なわずに実現した。
【実施例１】
【００２０】〔図１〕は実施例１の構成の概要の１例である。【００２１】  双安定リレー１と、第１の切り替え手段２と、電気の入力部としての入力側接続部３と、電気の出力部としての出力側接続部４と、を備え、壁に固定できるように構成しコンセントとする。【００２２】  双安定リレーは、入力信号を受けて動作を行い接点を切り替え、入力信号がない場合でも切り替えた後の接点を保持するものであり、機械式の双安定リレー、電磁式の双安定リレー、などがある。【００２３】  入力側接続部３に電源を接続し、出力側接続部４に器具のプラグを受け電気を伝える差込口４ａを構成する。入力側接続部３から出力側接続部４、もしくは出力側接続部４から入力側接続部３、の少なくとも１方へ双安定リレー１の接点１ａを介して電気を伝える。【００２４】  双安定リレー１が動作を行うのに適した入力信号となるように、電気を変電し入力信号とする。【００２５】  双安定リレー１が接点１ａをオンとする動作を行うための入力信号をオン入力信号とし、記双安定リレー１が接点１ａをオフとする動作を行うための入力信号をオフ入力信号として説明する。【００２６】  第１の切り替え手段２は、他の器具との接続がない場合にオフ入力信号をオンとし、他の器具との接続がある場合にオフ入力信号をオフとするように構成する。【００２７】  第１の切り替え手段２は、例えば、他の器具との接続がある場合は動作を行い、他の器具との接続がない場合は動作を行わないように、出力側接続部４にスイッチを設置もしくは構成し、スイッチのｂ接点を介してオフ入力信号を送るように構成したり、他の器具との接続がない場合は動作を行い、他の器具との接続がある場合は動作を行わないように、出力側接続部４にスイッチを設置もしくは構成し、スイッチのａ接点を介してオフ入力信号を送るように構成したり、可動接点を他の器具との接続がある場合は接点をオフとし、他の器具との接続がない場合は接点をオンとするように構成し、可動接点を介してオフ入力信号を送るように構成したりする。【００２８】  スイッチもしくは可動接点は、他の器具と接続する際もしくは他の器具との接続を解除する際の少なくとも１つの際に、他の器具によって直接操作され動作を行うように構成したり、他の器具と接続する際もしくは他の器具との接続を解除する際の少なくとも１つの際に、他の器具によって間接的に動作を行うように構成したりする。例えば、直接操作され動作を行うように構成する場合は、スイッチの操作部もしくは可動接点の可動部を、他の器具との接触面に他の器具と接続する際もしくは他の器具との接続を解除する際の少なくとも１つの際に、他の器具によって直接操作が行われるように構成し、動作を行うようにする。間接的に操作され動作を行うように構成する場合は、他の器具と、スイッチもしくは可動接点と、の間に絶縁体や保護カバーやケースなどを他の器具と接続する際もしくは他の器具との接続を解除する際の少なくとも１つの際に可動するように構成し、絶縁体や保護カバーやケースなどが可動する際にスイッチを操作するように構成しスイッチが動作を行うように構成したり、する。スイッチはオルタネイト動作のものや、モーメンタリ動作のものがあるが、モーメンタ��動作のものが望ましい。〔図２〕は第１の切り替え手段の設置箇所の１例である。【００２９】  第１の切り替え手段２は、フォトインタラプタ、フォトカプラ、センサ、などを用いて構成してもよい。【００３０】  第１の切り替え手段２は、他の器具が確実に接続されていない場合はオフ入力信号をオンとするように構成することが望ましい。【００３１】  双安定リレー１の接点１ａがオフとなった後は、オフ入力信号が送られないように構成することが望ましい。【００３２】  実施例１においてスイッチを用いる場合は、マイクロスイッチ、押しボタンスイッチ、リミットスイッチ、ロータリースイッチ、スライドスイッチ、トグルスイッチ、ロッカスイッチ、タクトスイッチ、セレクトキースイッチ、タンブラスイッチ、キースイッチ、などから最適のものを用いればよい。【００３３】  双安定リレー１と第１の切り替え手段２と入力側接続部３と出力側接続部４とは複数構成してもよく、複数構成する場合は同様の構成内容に統一する必要はない。【００３４】  出力側接続部４に差込口４ａにかえて電線により延長された差込口４ａを構成してもよい。この場合は差込口４ａに第１の切り替え手段２を構成することが望ましい。【００３５】  出力側接続部４に差込口４ａにかえて電線により延長された差込プラグを構成してもよい。この場合は差し込みプラグに第１の切り替え手段２を構成することが望ましい。【００３６】  壁に固定するようにはせず、入力側接続部３に導体となる差込刃を構成するようにし、出力側接続部４に差込口４ａを複数構成することでマルチタップとしてもよい。この場合は、差込口４ａと同数の第１の切り替え手段２および双安定リレーを構成することが望ましく、入力側接続部３に、第１の切り替え手段２を構成してもよい。【００３７】  壁に固定するようにはせず、入力側接続部３に電線などとの接続部を構成するようにし、出力側接続部４に差込口４ａを複数構成することでテーブルタップとしてもよい。この場合は、差込口４ａと同数の第１の切り替え手段２および双安定リレーを構成することが望ましい。【００３８】  壁に固定するようにはせず、入力側接続部３に電線などとの接続部を構成するようにし、出力側接続部４に差込口４ａを構成することでコネクタボディとしてもよい。【００３９】  壁に固定するようにはせず、入力側接続部３に電線等との接続部を構成するようにし、出力側接続部４に差込口４ａにかえて導体となる差込刃を構成することで電気の供給を行う差し込みプラグとしてもよい。【００４０】  壁に固定するようにはせず、入力側接続部３に導体となる差込刃を構成するようにし、出力側接続部４に差込口４ａにかえて導体となる差込刃を構成することで電気の供給を行う差し込みプラグとしてもよい。【００４１】  壁に固定するようにはせず、入力側接続部３と出力側接続部４に差込口４ａを構成するようにし、電気の供給を行うプラグ受けとしてもよい。この場合は、入力側接続部３に、第１の切り替え手段２を構成してもよい。
【実施例２】
【００４２】  〔図３〕は実施例２の構成の概要の１例であり、〔図４〕は配線器具の外観の構成の概要の１例である。【００４３】  実施例１の配線器具において、電気を使用できるものを限定できるように構成する。例えば、オン入力信号のオンとオフを切り替え、切り替えを行うものを限定できる、第２の切り替え手段５を構成する。【００４４】  第２の切り替え手段５は、例えば、スイッチ６ａを用いてオン入力信号のオンとオフを切り替えを行うように構成しスイッチ６ａを鍵付きの保護カバーやケースなどで保護するように構成したり、スイッチ６ａを用いてオン入力信号のオンとオフを切り替えを行うように構成しスイッチ６ａを鍵で固定するように構成したり、キースイッチ７を用いてオン入力信号のオンとオフの切り替えを行うように構成したり、ＩＣカードリーダライタなどのＩＣカードやＩＣチップなどの読み取り装置８とマイクロコンピュータとを、ＩＣカードやＩＣチップなどの情報を読み取り、読み取った情報を基にオン入力信号のオンとオフを切り替えるように構成したり、リモコンキーの信号を受信するアンテナ９ａとマイクロコンピュータとを、受信した信号を基にオン入力信号のオンとオフの切り替えを行うように構成したり、する。配線器具本体１０にスイッチ６ｂを構成し、スイッチ６ｂの操作中のみＩＣカードやＩＣチップなどの読み取りおよびリモコンキーの受信などが行われるように構成してもよい。【００４５】  マイクロコンピュータは少なくとも、切り替えを行うための条件が記録されており、受信した信号を条件と照合し条件に適合した場合に、オン入力信号のオンとオフの切り替えを行うように構成されていることが望ましい。【００４６】  オフ入力信号とオン入力信号が同時に送られないように構成することが望ましい。【００４７】  双安定リレー１の接点１ａがオンとなった後は、オン入力信号が送られないように構成することが望ましい。【００４８】  第２の切り替え手段５は複数構成してもよく、第２の切り替え手段５を複数設ける場合は同様の構成内容に統一する必要はない。【００４９】  第２の切り替え手段５は、配線器具本体１０と、第２の切り替え手段５と、にコネクタなどの接続部１１を構成しコネクタなどで接続し、容易に着脱できるようにしてもよいし、電線などを介してオン入力信号を送るようにしてもよい。【００５０】  実施例２においてスイッチを用いる場合は、マイクロスイッチ、押しボタンスイッチ、リミットスイッチ、ロータリースイッチ、スライドスイッチ、トグルスイッチ、ロッカスイッチ、タクトスイッチ、セレクトキースイッチ、タンブラスイッチ、キースイッチ、などから最適のものを用いればよい。
【実施例３】
【００５１】〔図５〕は実施例３の構成の概要の１例である。【００５２】  実施例１もしくは実施例２の配線器具において、電気を伝える状態もしくは電気を伝えない状態の少なくとも１つの状態に手動で切り換えることができるように構成する。例えば、電気を伝える状態もしくは電気を伝えない状態の少なくとも１つに手動で切り換えることができるようにスイッチ６ｃを構成する。【００５３】  スイッチ６ｃは例えば、オン入力信号もしくはオフ入力信号の少なくとも１つのオンとオフの切り替えを行うように構成したり、入力側接続部３から出力側接続部４、もしくは出力側接続部４から入力側接続部３、の少なくとも１方へ双安定リレー１の接点１ａに加えて、スイッチ６ｃの接点も介して電気を伝えるように構成したりする。【００５４】  オフ入力信号とオン入力信号が同時に送られないように構成することが望ましい。【００５５】  スイッチ６ｃは複数構成してもよく、スイッチ６ｃを複数設ける場合は同様の構成内容に統一する必要はない。【００５６】  スイッチ６ｃは、配線器具本体１０と、第２の切り替え手段５と、にコネクタなどの接続部１１を構成しコネクタなどで接続し、容易に着脱できるようにしてもよいし、電線などを介して入力信号を送るようにしてもよい。【００５７】  実施例２は電気を使用できるものを限定できるようにすることを目的としているため、実施例２において、スイッチ６ｃを構成する場合は。オン入力信号のオンとオフは切り替えないようしたり、オン入力信号のオンとオフの切り替えを行う場合には、スイッチ６ｃを鍵付きの保護カバーやケースなどで保護するように構成したり、スイッチ６ｃを鍵で固定するように構成したり、キースイッチで構成したり、することが望ましい。【００５８】  実施例３においてスイッチを用いる場合は、マイクロスイッチ、押しボタンスイッチ、リミットスイッチ、ロータリースイッチ、スライドスイッチ、トグルスイッチ、ロッカスイッチ、タクトスイッチ、セレクトキースイッチ、タンブラスイッチ、キースイッチ、などから最適のものを用いればよい。
【実施例４】
【００５９】  〔図６〕は実施例４の概要の１例であり、〔図７〕実施例４の構成の概要の１例である。【００６０】  実施例１もしくは実施例２もしくは実施例３の配線器具において、遠隔操作できるように構成する。例えば、アンテナ９ｂとマイクロコンピュータ１２を、信号を受信し受信した信号を基にオン入力信号もしくはオフ入力信号の少なくとも１つのオンとオフの切り替えを行うように構成し、配線器具本体１０とは別に構成した遠隔操作機器１３を操作し遠隔操作を行うようにする。【００６１】  遠隔操作機器１３は、例えばアンテナとスイッチとマイクロコンピュータとを、スイッチを押すことによりマイクロコンピュータに記録された情報を信号として送信するように構成したり、アンテナとマイクロコンピュータとＩＣカードリーダライタなどのＩＣカードやＩＣチップなどの読み取り装置とを、読み取り装置が読み取ったＩＣカードやＩＣチップなどの情報を信号として送信するように構成したり、する。遠隔操作機器１３は携帯できるように構成してもよいし、固定できるように構成してもよく、遠隔操作機器１３の電源は電池を用いてもよいし、コンセントや電力線などから電源を得るようにしてもよい。【００６２】  配線器具本体１０のマイクロコンピュータ１２は少なくとも、切り替えを行うための条件が記録されており、受信した信号を条件と照合し適合した場合に、オン入力信号もしくはオフ入力信号の少なくとも１つの入力信号の、オンとオフの切り替えを行うように構成されていることが望ましく、遠隔操作機器１３のマイクロコンピュータは少なくとも、配線器具本体１０のマイクロコンピュータ１２が照合するための情報が記録されており、記録されている情報を含めて信号に変換できるように構成されていることが望ましい。【００６３】  オン入力信号の切り替えを行う場合は、他の器具との接続がある場合にのみ遠隔操作が可能となるように構成することが望ましい。【００６４】  オフ入力信号の切り替えを行う場合は、他の器具との接続があり、配線器具本体１０が電気を伝える状態にある場合にのみ遠隔操作が可能となるように構成することが望ましい。【００６５】  配線器具本体１０から遠隔操作機器１３に使用状況などの情報を信号として送信してもよく、配線器具本体１０から遠隔操作機器１３に使用状況などの情報を信号として送信する場合は、遠隔操作機器１３に使用状況などの表示ができるように表示部などを構成することが望ましい。【００６６】  オフ入力信号とオン入力信号が同時に送られないように構成することが望ましい。【００６７】  アンテナ９ｂは、配線器具本体１０と、第２の切り替え手段５と、にコネクタなどの接続部１１を構成しコネクタなどで接続し、容易に着脱できるようにしてもよいし、電線などを介して入力信号を送るようにしてもよい。【００６８】  実施例４においてスイッチを用いる場合は、マイクロスイッチ、押しボタンスイッチ、リミットスイッチ、ロータリースイッチ、スライドスイッチ、トグルスイッチ、ロッカスイッチ、タクトスイッチ、セレクトキースイッチ、タンブラスイッチ、キースイッチ、などから最適のものを用いればよい。
【実施例５】
【００６９】〔図８〕は実施例５の構成の概要の１例である。【００７０】  実施例１もしくは実施例２もしくは実施例３もしくは実施例４の配線器具において、他の器具へ入力信号を送ることができるように構成する。例えば、入力信号を伝える電線を接続できる接続部を構成したり、接続を容易にする場合にはコネクタなどの接続部１４を構成しコネクタと電線を介して他の器具に入力信号を送るようにしたり、する。【００７１】  入力信号は、双安定リレー１もしくは第１の切り替え手段２もしくは第２の切り替え手段５の少なくとも１つと連動して送るようにしてもよい。
【実施例６】
【００７２】〔図９〕は実施例６の構成の概要の１例である。【００７３】  実施例１もしくは実施例２もしくは実施例３もしくは実施例４もしくは実施例５の配線器具において、他の器具から入力信号を受け取ることができるように構成する。例えば、入力信号を伝える電線を接続できる接続部を構成したり、接続を容易にする場合にはコネクタなどの接続部１４を構成しコネクタと電線を介して他の器具からの入力信号を受けとるようにしたり、する。【００７４】  受け取った入力信号を、オン入力信号もしくはオフ入力信号の少なくとも１つとするように構成してもよい。【００７５】  オフ入力信号とオン入力信号が同時に送られないように構成することが望ましい。【００７６】  実施例１において、他の器具からの、入力信号を受けとることができるように構成する場合は、受け取った入力信号を少なくともオン入力信号とするように構成することが望ましい。【００７７】  実施例２は電気を使用できるものを限定できるようにすることを目的としているため、実施例２の構成を含む配線器具において、他の器具から入力信号を受けとることができるように構成する場合は、受けとった入力信号をオフ入力信号とするようにのみ構成したり、受けとった入力信号をオン入力信号とするように構成する場合はコネクタなどの接続部１４を鍵付きの保護カバーやケースなどで保護したり、コネクタと接続部１４とを鍵で固定できるように構成したりすることが望ましい。【００７８】  実施例４の構成を含む配線器具において、他の器具から入力信号を受けとることができるように構成する場合は、他の器具から他の器具を特定する入力信号を受け取るようにし、遠隔操作機器１３はＩＣカードやＩＣチップなどの情報を読み取り信号として送信するようにし、他の器具からの入力信号と遠隔操作機器１３からの信号と条件とを照合し、条件に適合する場合にオン入力信号もしくはオフ入力信号の少なくとも１つをオンとするようにしてもよい。
【用途例】
【００７９】  本発明の配線器具は、発電機器や充電機器などの電気の出力を行う機器の出力部として用いたり、電気を要する機器の電気の入力部として用いたり、屋外コンセントや屋外での電気配線に用いたり、屋内コンセントや屋内での電気配線に用いたり、するとよい。
【符号の説明】
【００８０】１    双安定リレー
１ａ  双安定リレーの接点
１ｂ  双安定リレーのオフ入力信号の入力部
１ｃ  双安定リレーのオン入力信号の入力部
２    第１の切り替え手段
３    入力側接続部
４    出力側接続部
４ａ  差込口４ａ
５    第２の切り替え手段
６ａ  スイッチ
６ｂ  スイッチ
６ｃ  スイッチ
７    キースイッチ
８    読み取り装置
９ａ  アンテナ
９ｂ  アンテナ
１０  配線器具本体
１１  コネクタなどの接続部
１２  マイクロコンピュータ
１３  遠隔操作機器
１４  コネクタなどの接続部
【図１】
2011054547.tif 000003
【図２】
2011054547.tif 000004
【図３】
2011054547.tif 000005
【図４】
2011054547.tif 000006
【図５】
2011054547.tif 000007
【図６】
2011054547.tif 000008
【図７】
2011054547.tif 000009
【図８】
2011054547.tif 000010
【図９】
2011054547.tif 000011